(57)【要約】【課題】  後から入力された生産計画データによって、先に入力された生産計画の部品が引当てされることを防止する。【解決手段】  第１の生産計画の引当処理命令に従い、部品在庫ファイルに登録してある部品から第１のカートの部品を引当て、引当てた部品を在庫ファイルから引当ファイルに移動させると共に、第１のカートの部品に事前予約部品の部品と重複する部品が含まれるときは、事前予約部品と重複する第１のカートの部品は引当ファイルに移動させず、事前予約部品の部品とする前記第１のカートの部品を購入する買券発行処理を行なう。【選択図】  図１
2015022415.tif 000002
【特許請求の範囲】
【請求項１】
第１の生産計画の買券及び第２の生産計画の買券で購入した部品が登録された部品在庫ファイルと、前記第１の生産計画で引当処理する部品が登録された第１のカート及び前記第１の生産計画より後の前記第２の生産計画で引当処理する部品が登録された第２のカートが格納された買券ファイルと、前記第２のカートの部品を事前予約部品として事前予約ファイルに登録する第１の制御部と、前記第１の生産計画の引当処理命令に従い、前記部品在庫ファイルに登録してある部品から前記第１のカートの部品を引当て、引当てた部品を前記在庫ファイルから引当ファイルに移動させると共に、前記第１のカートの部品に前記事前予約部品の部品と重複する部品が含まれるときは、前記事前予約部品と重複する前記第１のカートの部品は前記引当ファイルに移動させず、前記事前予約部品の部品と重複する前記第１のカートの部品を購入する買券発行処理を行なう第２の制御部と、を備えた部品管理システム。
【請求項２】
複数の生産計画の買券で購入した部品が登録された部品在庫ファイルと、それぞれの前記生産計画で引当処理する部品が登録された複数のカートが格納された買券ファイルと、少なくとも１つの前記カートの部品を事前予約部品として事前予約ファイルに登録する第１の制御部と、いずれかの前記生産計画の引当処理発令に従い、前記部品在庫ファイルに登録してある部品から前記引当処理発令が発令された前記生産計画のカートの部品を引当て、引当てた部品を前記部品在庫ファイルから引当ファイルに移動させると共に、前記引当処理命令が発令された前記生産計画のカートの部品が前記事前予約部品の部品と重複するとき、前記事前予約部品と重複する前記引当処理命令が発令された前記生産計画のカートの部品は前記引当ファイルに移動させず、前記事前予約部品と重複する前記引当処理命令が発令された前記生産計画のカートの部品を購入する買券発行処理を行なう第２の制御部と、を備えた部品管理システム。
【請求項３】
第１の生産計画の買券及び第２の生産計画の買券で購入した部品を部品在庫ファイルに登録する在庫登録ステップと、前記第１の生産計画で引当処理する部品を第１のカートに登録する第１の部品登録ステップと、前記第１の生産計画より後に引当処理する前記第２の生産計画で使用する部品を第２のカートに登録する第２の部品登録ステップと、前記第２のカートの部品を事前予約部品として事前予約ファイルに登録する事前予約ステップと、前記第１の生産計画の引当処理命令に従い、前記部品在庫ファイルに登録してある部品から前記第１のカートの部品を引当て、引当てた部品を前記在庫ファイルから引当ファイルに移動させると共に、前記第１のカートの部品に前記事前予約部品の部品と重複する部品が含まれるときは、前記事前予約部品と重複する前記第１のカートの部品は前記引当ファイルに移動させず、前記事前予約部品リストと重複する前記第１のカートの部品を購入する買券を発行する引当ステップと、を備えた部品管理方法。
【請求項４】
複数の生産計画の買券で購入した部品を部品在庫ファイルに登録する在庫登録ステップと、それぞれの前記生産計画で使用する部品を対応するそれぞれのカートに登録する部品登録ステップと、少なくとも１つの前記カートの部品を事前予約部品として事前予約ファイルに登録する事前予約ステップといずれかの前記生産計画の発令に従い、前記部品在庫ファイルに登録してある部品から前記生産計画が発令された前記カートのリストを引当て、引当てた部品を前記部品在庫ファイルから引当ファイルに移動させると共に、前記生産計画が発令された前記カートの部品が前記事前予約部品の部品と重複するとき、前記事前予約部品と重複する前記生産計画が発令された前記カートの部品は前記引当ファイルに移動させず、前記事前予約部品と重複する前記生産計画が発令された前記カートの部品を購入する買券を発行する引当ステップと、を備えた部品管理方法。
【発明の詳細な説明】
【技術分野】
【０００１】
この発明は、予約された順に優先度を設けて製造ラインに部品を供給する部品管理方法及び部品管理システムに関するものである。
【背景技術】
【０００２】
特許第４６８４７４１号（特許文献１参照）には、データ受信手段により受信された品揃えデータが示す部品の入庫先を管理する入庫先管理手段と、そのデータ受信手段により受信された品揃えデータが示す払出日を経過する前に、在庫部品の引当処理を実施する部品引当手段とを設け、製造ラインに供給する発注部品が納品された場合又は部品引当手段により在庫部品が引き当てられた場合、その入庫先管理手段に管理されている部品の入庫先を提示するようにした部品管理システムが記載されている。
【先行技術文献】
【特許文献】
【０００３】
【特許文献１】特許第４６８４７４１号公報
【発明の概要】
【発明が解決しようとする課題】
【０００４】
特許文献１に記載の発明は、データ受信手段により受信された品揃えデータが示す払出日を経過する前に、在庫部品の引当処理を実施するため、第１の品揃えデータが示す払出日よりも後に受信した第２の品揃えデータが示す払出日が第１の品揃えデータが示す払出日よりも早い場合、第２の品揃えデータによって先に在庫部品が引当処理されてしまい、第１の品揃えデータが示す払出日に第１の品揃えデータの部品に欠品が発生する課題がある。
【０００５】
この発明は上記のような課題を解決するためになされたものであり、後から入力された生産計画データによって、先に入力された生産計画の部品が引当てされることを防止する部品管理システム及び部品管理方法を得ることを目的とする。
【課題を解決するための手段】
【０００６】
この発明に係る部品管理システムは、第１の生産計画の買券及び第２の生産計画の買券で購入した部品が登録された部品在庫ファイルと、前記第１の生産計画で引当処理する部品が登録された第１のカート及び前記第１の生産計画より後の前記第２の生産計画で引当処理する部品が登録された第２のカートが格納された買券ファイルと、前記第２のカートの部品を事前予約部品として事前予約ファイルに登録する第１の制御部と、前記第１の生産計画の引当処理命令に従い、前記部品在庫ファイルに登録してある部品から前記第１のカートの部品を引当て、引当てた部品を前記在庫ファイルから引当ファイルに移動させると共に、前記第１のカートの部品に前記事前予約部品の部品と重複する部品が含まれるときは、前記事前予約部品と重複する前記第１のカートの部品は前記引当ファイルに移動させず、前記事前予約部品の部品と重複する前記第１のカートの部品を購入する買券発行処理を行なう第２の制御部と、を備えたものである。
【０００７】
この発明に係る部品管理方法は、第１の生産計画の買券及び第２の生産計画の買券で購入した部品を部品在庫ファイルに登録する在庫登録ステップと、前記第１の生産計画で引当処理する部品を第１のカートに登録する第１の部品登録ステップと、前記第１の生産計画より後に引当処理する前記第２の生産計画で使用する部品を第２のカートに登録する第２の部品登録ステップと、前記第２のカートの部品を事前予約部品として事前予約ファイルに登録する事前予約ステップと、前記第１の生産計画の引当処理命令に従い、前記部品在庫ファイルに登録してある部品から前記第１のカートの部品を引当て、引当てた部品を前記在庫ファイルから引当ファイルに移動させると共に、前記第１のカートの部品に前記事前予約部品の部品と重複する部品が含まれるときは、前記事前予約部品と重複する前記第１のカートの部品は前記引当ファイルに移動させず、前記事前予約部品リストと重複する前記第１のカートの部品を購入する買券を発行する引当ステップと、を備えたものである。
【発明の効果】
【０００８】
この発明によれば、先に入力された生産計画に基づく部品を、事前予約情報として事前予約ファイルに登録することにより、後から入力された生産計画に基づく部品によって、先に入力された生産計画に基づく部品が引当てられることが防止される。
【図面の簡単な説明】
【０００９】
【図１】この発明の実施の形態１に係る部品管理システムの構成図である。
【図２】この発明の実施の形態１に係る部品の流れを説明する図である。
【図３】この発明の実施の形態１に係る部品管理フローを示す図である。
【発明を実施するための形態】
【００１０】
実施の形態１．
図１は、この発明の実施の形態１に係る部品管理システムの構成図である。図１において、部品管理システムは、部品在庫ファイル１と、買券ファイル２と、事前予約ファイル３と、第１の制御部４と、生産計画ファイル５と、引当ファイル６と、第２の制御部７と、を備えている。
【００１１】
部品在庫ファイル１には、生産計画ファイル５に登録されている第１生産計画の買券及び第２生産計画の買券で購入した部品が登録されている。
【００１２】
買券ファイル２には、第１カート２１と第２カート２２が登録されており、第１カート２１には、第１生産計画で使用するために引当処理する部品の部品リストＡが登録され、第２カート２２には、第２生産計画で使用するために引当処理する部品の部品リストＢが登録されている。
【００１３】
図２は、この発明の実施の形態１に係る部品の流れを説明する図である。図３は、この発明の実施の形態１に係る部品管理フローを示す図である。図１〜図３を用いて動作を説明する。
【００１４】
部品在庫ファイル１には、第１生産計画及び第２生産計画で使用する部品が登録されている。Ｓ１において、第１生産計画で引当てる部品の買券を発行し、Ｓ２において、第１カート２１に、第１生産計画で引当処理する部品と必要数を部品リストＡとして登録し、Ｓ３において、第１カート２１を買券ファイル２に登録する。
【００１５】
Ｓ１１において、第２生産計画で引当てる部品の買券を発行し、Ｓ１２において、第２カート２２に、第２生産計画で引当処理する部品と必要数を部品リストＢとして登録し、Ｓ２３において、第２カート２２を買券ファイル２に登録する。
【００１６】
以下、部品の引当処理について説明するが、第２カート２２が第１カート２１より先に買券ファイル２に登録されているが、生産計画は、第１生産計画が第２生産計画より先に生産着手命令が発令される場合について説明する。
【００１７】
Ｓ２１において、第１生産計画の生産着手命令の発令前に第２カート２２即ち部品リストＢを事前予約部品として事前予約ファイル３に登録する。この作業は、制御部４が実施する。
【００１８】
以降の作業は、制御部７が実施する。Ｓ２２において、第１生産計画の生産着手命令により第１カート２１即ち部品リストＡを部品在庫ファイル１に引当てに行く。Ｓ２３において、部品リストＡを部品在庫ファイル１に引当てる前に、部品リストＡを事前予約ファイル３内の部品リストＢと照合する。Ｓ２４において、部品リストＡと部品リストＢの照合の結果、部品リストＡが部品リストＢを含まない場合は、部品リストＡの引当が実施され、引当てた部品リストＡは、部品在庫ファイル１から引当ファイル６に移動し、Ｓ３０において、第１カート２１の引当てが完了する。
【００１９】
Ｓ２４において、部品リストＡと部品リストＢの照合の結果、部品リストＡが部品リストＢの全て若しくは一部を含む場合は、Ｓ２５において、部品リストＡから部品リストＢの重複する部品を差し引いた部品リストＣを作成し、部品リストＣに対して、部品在庫ファイル１の部品を引当てる。なお、引当てた部品リストＣは、部品在庫ファイル１から引当ファイル６に移動させる。
【００２０】
Ｓ２６において、部品リストＡにおいて部品リストＢの重複する部品の部品リストＤを作成し、Ｓ２７において、部品リストＤの買券を発行し、部品リストＤに部品を入手すると、Ｓ２８において、部品リストＤの部品を部品在庫ファイル１に登録し、Ｓ２９において、部品リストＤに対して部品在庫ファイルの部品を引当てる。なお、引当てた部品リストＤは、部品在庫ファイル１から引当ファイル６に移動させる。以上により、第１カート２１の部品リストＡが全て引当てられたので、Ｓ３０において、第１カートの引当てが完了する。
【００２１】
以上の処理により、部品在庫ファイル１には、部品リストＢの部品が残っているので、第２生産計画の生産着手命令の発令により、第２カート２２即ち部品リストＢを部品在庫ファイル１に引当てることができる。なお、引当てた部品リストＢは、部品在庫ファイル１から引当ファイル６に移動させる。
【００２２】
このように処理することにより、先に立案された生産計画の部品が、後から立案され生産着手命令が発令された生産計画によって、部品が引当てられてしまうことを防止することができる。
【００２３】
この発明の実施の形態１では、生産計画が２件の場合について説明したが、３件以上の生産計画についても、同様の処理をすることにより、先に立案された生産計画の部品が、後から立案され生産着手命令が発令された生産計画によって、部品が引当てられてしまうことを防止することができる。
【符号の説明】
【００２４】
１  部品在庫ファイル、２  買券ファイル、３  事前予約ファイル、４  制御部、５  生産計画ファイル、６  引当ファイル、７  制御部、２１  第１カート、２２  第２カート
【図１】
2015022415.tif 000003
【図２】
2015022415.tif 000004
【図３】
2015022415.tif 000005